(57)【要約】      （修正有）【課題】ウィンチを用いることなく、軽い力で舞台を変形させて格納庫に収納できる様にした壁面収納舞台を提供する。【解決手段】壁Ｗに凹設された格納庫Ｈに直立固定した前方束柱２と、車輪3bを設けた後方束柱３とを対向配置し、前記束柱２、３の上部には水平状態と直立状態に俯仰可能な前方及び後方大引４、５の基端を枢着すると共に、該大引４、５を中間束柱６を垂下した連結部７を介して屈伸可能に連結し、前記大引４、５を水平に伸展させて大引４、５上に床板８、8aを水平配置した舞台に変形させ、伸展状態の大引４、５を連結部７を介して二つ折りに屈曲させた床板８、8aの直立状態で格納庫Ｈ内に収容可能と成した壁面収納舞台１において、前方束柱２側にドラム15に巻装した定荷重渦巻きバネ16を設置し、該バネ16を中間束柱６の着地状態でその下部に設けたアイドルローラ17に潜通すると共に、バネ16先端を後方束柱３側に連結する。【選択図】図１
2018110679.tif 000002
【特許請求の範囲】
【請求項１】
壁に凹設された格納庫の床面上に直立固定した前方束柱と、該前方束柱と同一高にして、前後動可能に車輪を設けた後方束柱とを対向配置し、前方及び後方束柱の上部には水平状態と直立状態に俯仰可能な前方及び後方大引の基端を枢着すると共に、前方及び後方大引を中間束柱を垂下した連結部を介して屈伸可能に連結することにより、前方及び後方大引を水平に伸展させることで中間束柱を床面上に着地させて前方及び後方大引上に床板を水平配置した舞台に変形させ、伸展状態の前方及び後方大引を二つ折りに屈曲させた床板の直立状態で格納庫内に収容可能と成した壁面収納舞台において、前方束柱側にドラムに巻装した定荷重渦巻きバネを設置し、該バネを中間束柱の着地状態でその下部に設けたアイドルローラに潜通すると共に、バネ先端を後方束柱側に連結したことを特徴とする壁面収納舞台。
【請求項２】
後方束柱は前方束柱に対し左右方向で平行に配置し、後方大引は前方大引より長く設定し、前方大引の先端と、該先端に相当する後方大引の先端寄り部位とを相互に左右平行状態で連結部を介して屈伸可能に連結し、後方大引にはその長さに相当する奥行きの床板を設け、前方大引には、後方大引との水平伸展状態で床板の前端に該床板と同一平面上に連続する別途床板を設け、前方大引と後方大引とを二つ折りに屈曲させて各床板を裏合せに折り立て変形させた状態で格納庫内に収容可能と成したことを特徴とする請求項１記載の壁面収納舞台。
【請求項３】
後方束柱は前方束柱に対し左右方向で平行に配置し、後方大引は前方大引より長く設定し、前方大引の先端と、該先端に相当する後方大引の中間部位とを相互に左右平行状態で連結部を介して屈伸可能に連結し、後方大引にはその長さに相当する奥行きの床板を設け、前方大引と後方大引とを二つ折りに屈曲させた床板の直立状態で格納庫内に収容可能と成したことを特徴とする請求１記載の壁面収納舞台。
【請求項４】
前方束柱と後方束柱を正対配置し、前方大引と後方大引を同一長に設定すると共に、前方及び後方大引の先端同士を連結部を介して屈伸可能に連結し、前方及び後方大引には、その長さに相当する奥行きの床板を設け、前方大引と後方大引とを二つ折りに屈曲させて各床板を裏合せに折り立て変形させた状態で格納庫内に収容可能と成したことを特徴とする請求項１記載の壁面収納舞台。
【発明の詳細な説明】
【技術分野】
【０００１】
本発明は、壁に凹設された格納庫に直立収納される壁面収納舞台に関する。
【背景技術】
【０００２】
従来から体育館や各種ホール等で設置される舞台としては、不使用時に場所の有効利用を図るため舞台を起立変形して壁に凹設された格納庫に直立収納できる壁面収納舞台が見受けられる（例えば特許文献１参照）。
【０００３】
この壁面収納舞台は、これの床板の左右の側板に床板に対して前脚と車輪付き後脚とを夫々回動可能に連結し、格納庫内前方に電動ワイヤウィンチを設置してワイヤを前脚下部に備えたアイドルローラの下に連繋通過させると共にその先端を後脚に連結し、左右の前脚側方にガイドローラを突設し、該ガイドローラを格納庫側壁に埋設したガイドレール内に走行可能に装着し、舞台収納に際して、前記ウィンチで巻取回転することでワイヤが強く張設されてアイドルローラを押し上げ、前脚が浮上して床板を初期前傾させ、次いでワイヤが後脚を前方に引くことから床板を直立させて舞台を格納庫に収納する。
【０００４】
又、特許文献２には、不使用時に舞台を折り立て変形して収納可能と成した折り立て収納式舞台が開示されており、この舞台は、床板を二分した中央連結部における昇降脚及び前後の設置脚によって床板の水平状態を支持し、昇降脚を上昇させて床板を折り立てる構成であり、上記と同様に電動ワイヤウィンチと昇降脚下方に備えたアイドルローラを用いて昇降脚を上昇させて床板を折り立て変形させて舞台を格納庫に収納する。
【先行技術文献】
【特許文献】
【０００５】
【特許文献１】実開平６−２１７００号公報
【特許文献２】実用新案登録第２５１５９７４号公報
【発明の概要】
【発明が解決しようとする課題】
【０００６】
しかしながら、電動ワイヤウィンチを用いると、設備費が高くなると共に、その保守も必要となって維持が面倒で手間を要する課題を有していた。
【０００７】
そこで、本発明は、電動ワイヤウィンチを用いることなく、簡単な構成で安価に設備でき、軽い力で舞台を変形させて格納庫に収納できる様にした壁面収納舞台を提供することを目的としている。
【課題を解決するための手段】
【０００８】
上記課題に鑑み、本発明の壁面収納舞台は、壁に凹設された格納庫の床面上に直立固定した前方束柱と、該前方束柱と同一高にして、前後動可能に車輪を設けた後方束柱とを対向配置し、前方及び後方束柱の上部には水平状態と直立状態に俯仰可能な前方及び後方大引の基端を枢着すると共に、前方及び後方大引を中間束柱を垂下した連結部を介して屈伸可能に連結することにより、前方及び後方大引を水平に伸展させることで中間束柱を床面上に着地させて前方及び後方大引上に床板を水平配置した舞台に変形させ、伸展状態の前方及び後方大引を二つ折りに屈曲させた床板の直立状態で格納庫内に収容可能と成し、前方束柱側にドラムに巻装した定荷重渦巻きバネを設置し、該バネを中間束柱の着地状態でその適所に設けたアイドルローラに潜通すると共に、バネ先端を後方束柱側に連結したことを特徴とする。
又、壁面収納舞台は、後方束柱を前方束柱に対し左右方向で平行に配置し、後方大引を前方大引より長く設定し、前方大引の先端と、該先端に相当する後方大引の先端寄り部位とを相互に左右平行状態で連結部を介して屈伸可能に連結し、後方大引にはその長さに相当する奥行きの床板を設け、前方大引には、後方大引との水平伸展状態で床板の前端に該床板と同一平面上に連続する別途床板を設け、前方大引と後方大引とを二つ折りに屈曲させて各床板を裏合せに折り立て変形させた状態で格納庫内に収容可能と成したことを特徴とする。
或いは、壁面収納舞台は、後方束柱を前方束柱に対し左右方向で平行に配置し、後方大引を前方大引より長く設定し、前方大引の先端と、該先端に相当する後方大引の中間部位とを相互に左右平行状態で連結部を介して屈伸可能に連結し、後方大引にはその長さに相当する奥行きの床板を設け、前方大引と後方大引とを二つ折りに屈曲させた床板の直立状態で格納庫内に収容可能と成したことを特徴とする。
又は、壁面収納舞台は、前方束柱と後方束柱を正対配置し、前方大引と後方大引を同一長に設定すると共に、両大引の先端同士を連結部を介して屈伸可能に連結し、前方及び後方大引には、その長さに相当する奥行きの床板を設け、前方大引と後方大引とを二つ折りに屈曲させて床板を裏合せに折り立て変形させた状態で格納庫内に収容可能と成したことを特徴とする。
【発明の効果】
【０００９】
要するに本発明は、上記構成より成るので、舞台変形に際し、床板の倒伏によって定荷重渦巻きバネはその巻き取り力に抗して徐々に繰り出されるため、床板が急激に倒伏して舞台設置面（床面）に衝撃を生じさせることがなく、安全に舞台へと変形させられ、やがてアイドルローラが定荷重渦巻きバネをその付勢力に抗して下方へ押圧し、中間束柱が着地することにより、床板が水平状態となって舞台が構成される。
又、舞台の収納変形に際し、床板の後端部を少し持ち上げると、繰り出し状態にある定荷重渦巻きバネが強く引き戻されてアイドルローラを押し上げることから中間束柱が浮上して重い床板を起立方向に持ち上げようとする力を助勢し、軽い力で舞台を円滑に起立変形させることができ、次いで定荷重渦巻きバネが後方束柱を前方に引くことから、床板が直立し、その直立状態を保持できる。
よって、本発明によれば、床板を手動で倒伏回動しても定荷重渦巻きバネの弾性によって急速に床板が倒伏することがなく安全に舞台に変形させられ、定荷重渦巻きバネは水平状態の床板を起立方向に舞台の使用に支障のない程度に付勢するため、手動による床板起立のための初動操作を容易に行えると共に、その後も連続付勢する定荷重渦巻きバネにより床板を直立させられ、その直立収納状態を保持でき、従来の様にウィンチを用いることなく、軽い力で舞台を円滑に変形させられ、しかも上記の様に簡単な構成であるため安価に設備できる等その実用的効果甚だ大である。
【図面の簡単な説明】
【００１０】
【図１】壁面収納舞台の側面図である。
【図２】床板及び根太を省略した一部破断平面図である。
【図３】図２のＡ−Ａ断面図である。
【図４】図２のＢ−Ｂ一部省略断面図である。
【図５】図２のＣ−Ｃ断面図である。
【図６】図３のＤ−Ｄ断面図である。
【図７】図４のＥ−Ｅ断面図である。
【図８】図５のＦ−Ｆ断面図である。
【図９】変形中の舞台の側面図である。
【図１０】壁面収納状態を示す舞台の側面図である。
【図１１】壁面収納舞台の第一変形例を示す一部を省略・破断した平面図である。
【図１２】同上壁面収納状態を示す舞台の側面図である。
【図１３】壁面収納舞台の第二変形例を示す一部を省略・破断した平面図である。
【図１４】同上壁面収納状態を示す舞台の側面図である。
【発明を実施するための形態】
【００１１】
本発明に係る壁面収納舞台１は、舞台設置室Ｒの壁Ｗに凹設された格納庫Ｈの床面ｆ上にアンカーボルトにて直立固定した前方束柱２と、該前方束柱２の後方にこれと同一高にして、前後動可能に車輪3bを設けて対向配置した後方束柱３の上部の夫々に、水平状態と直立状態に俯仰可能な前方及び後方大引４、５の基端を枢着すると共に、前方及び後方大引４、５を中間束柱６を垂下した連結部７を介して屈伸可能に連結することにより、前方及び後方大引４、５を水平に伸展させることで中間束柱６を床面ｆ上に着地させて前方及び後方大引４、５上に床板８、8aを水平配置した舞台に変形させ、伸展状態の前方及び後方大引４、５を連結部７を介して二つ折りに屈曲させた床板８、8aの直立状態で格納庫Ｈ内に収容可能と成している。
【００１２】
図２に示す様に、前方及び後方束柱２、３（以下、束柱２、３とも称する。）は、横手（左右）方向に所定間隔を置いて６本を起立配置し、前後で対応する束柱２、３は左右方向で平行に（食い違い）配置し、隣接する前方束柱２同士及び後方束柱３同士は、その上中下段が縛貫９、9a、9bで連結され、該縛貫９、9a、9bは前方及び後方束柱２、３に一体と成している（図３、５参照）。
尚、左右側縁の後方束柱３の後端面間には幕板3cを架設している。
【００１３】
又、束柱２、３の中間にして、後方束柱３の真正面には中間束柱６を６本起立配置しており、隣接する中間束柱６同士は、その上下段が縛貫10、10ａで一体連結されている（図２、４参照）。
そして、前方束柱２の下段縛貫9bと中間束柱６の下段縛貫10ａ、及び後方束柱３の下段縛貫9bと中間束柱６の下段縛貫10ａとは、所定間隔置きに夫々が４本の連接杆11にて枢着連結されている。
【００１４】
又、前方束柱２に枢着した前方大引４（以下、大引４とも称する。）よりも後方束柱３に枢着した後方大引５（以下、大引５とも称する。）を長く設定している。
【００１５】
これにより、前方及び後方大引４、５の水平状態では、前方及び後方束柱２、３の内向面2a、3aの上部に対し直角に突出し、垂直状態で前方及び後方束柱２、３の上端面上に直立する様に成している（図２、３、５、６、８参照）。
そして、前方大引４の先端と、該先端に相当する後方大引５の先端寄り部位とを相互に左右平行状態で屈伸可能に連結している。
【００１６】
後方大引５の上記先端寄り部位は、中間束柱６の上端左右より一対の舌片を後方突設したブラケット6a先端に枢着され、該ブラケット6aの左右舌片間に中間束柱６に対し直角に挿通・離脱する様に回動可能と成しており、中間束柱６は後方大引５の水平状態で束柱２、３の中間となる後方大引５の先端寄り部位より下方へ直角に突出して着地し、後方大引５の直立状態で後方大引５と並列する様にブラケット6aを介して後方大引５に連結されている。
【００１７】
前方大引４はその先端が中間束柱６間の縛貫10における前方束柱２との対向面に水平突設したブラケット12に枢着連結されている（図２、４、７参照）。
【００１８】
ここにブラケット12、中間束柱６上端（ブラケット6a）と、これらを一体連結してなる縛貫10とが前方及び後方大引４、５を屈伸させる連結部７となる。
【００１９】
そして、後方大引５にはその長さに相当する奥行きの横長矩形状の床板８をその裏面前後に複数平行配置した根太13を介して設け、前方大引４には、後方大引５との水平伸展状態で床板８の前端に該床板８と同幅にして同一平面上に連続する所定奥行きの別途床板8aを前記と同様にその裏面前後に複数平行配置した根太13を介して設けている。
尚、図２では床板８、8aは説明の便宜上二点鎖線で示し、根太13は説明の便宜上省略している。
【００２０】
かかる構成により、舞台１は前方大引４と後方大引５とをその連結部７で二つ折りに屈曲させて各床板8a、８を裏合せに折り立て変形させた状態で、最上端となる床板８の前端に対応して格納庫Ｈの天井高さが設定され、床板８が格納庫Ｈの開口部上端の壁面Ｗと同一垂直面上に位置して前記開口部を閉塞する様に、格納庫Ｈ内に収容可能と成している（図10参照）。
【００２１】
本実施例では、前方大引４の先端と、該先端に相当する後方大引５の先端寄り部位とを相互に左右平行状態で連結部７を介して屈伸可能に連結し、後方大引５にはその長さに相当する奥行きの床板８を設け、前方大引４には、後方大引５との水平伸展状態で床板８の前端に該床板８と同一平面上に連続する別途床板8aを設け、前方大引４と後方大引５とを二つ折りに屈曲させて各床板8a、８を裏合せに折り立て変形させた状態で格納庫Ｈ内に収容可能と成した舞台１を示したが、後述する構成の舞台１であっても良い。
尚、以下に示す舞台１において、上記と同一又は相当部分には同じ符号を図面に付し説明を省略する。
【００２２】
即ち、図11、12に示す舞台１の第一変形例は、前方大引４の先端と、該先端に相当する後方大引５の中間部位とを相互に左右平行状態で連結部７を介して屈伸可能に連結し、後方大引５にはその長さに相当する奥行きの床板８を設け、前方大引４と後方大引５とを二つ折りに屈曲させた床板８の直立状態で格納庫Ｈ内に収容可能と成している。
【００２３】
又、図13、14に示す舞台１の第二変形例は、前方束柱２と後方束柱３を正対配置し、前方大引４と後方大引５を同一長に設定すると共に、前方及び後方大引４、５の先端同士を連結部７を介して屈伸可能に連結し、前方及び後方大引４、５には、その長さに相当する奥行きの床板8a、８を設け、前方大引４と後方大引５とを二つ折りに屈曲させて床板8a、８を裏合せに折り立て変形させた状態で格納庫Ｈ内に収容可能と成している。
尚、本変形例では、前方及び後方大引４、５の先端は連結部７における中間束柱６上端の前後に突設したブラケット6aに枢着されている。
【００２４】
そして、上記構成の各舞台１には、開閉器14を装備している。
この開閉器14は、舞台１の大きさにより複数（図示例では舞台１左右の２箇所）設置され、前方束柱４の中段縛貫9a上にドラム15に巻き取り方向に付勢する様に巻装した定荷重渦巻きバネ（以下、単にバネと称する。）16を設置し、該バネ16を中間束柱６の着地状態でこれの下段縛貫10ａ下部にブラケット17ａを介して吊り下げ状に設けたアイドルローラ17に潜通すると共に、バネ16先端を後方束柱５の上段縛貫９上面に支持板18で押え付けて鋲着することにより連結固定している。
【００２５】
尚、上記各実施例において、当然ながら、従来の様に電動ワイヤウィンチ（図示せず）を設置し、該ウィンチの動力を開閉器14にて助勢する様に成しても良く、この場合には従来よりもウィンチの動力源となる電動モータを小型化できる。
【００２６】
上記の様に構成された壁面収納舞台１にあっては、前方大引４と後方大引５とをその連結部７で二つ折りに屈曲させた状態では、図10、12、14の如く幕板3c上に直立する床板８が格納庫Ｈの開口部上端の壁面Ｗと同一垂直面上に位置して、その開口部を閉塞し、舞台１は格納庫Ｈ内に収容される。
【００２７】
かかる状態では、開閉器14のバネ16の付勢力により後方束柱３を前方の格納庫Ｈ内に位置する様に引張し、舞台１の収納状態を保持している。
【００２８】
舞台１を壁面収納状態から舞台へ変形させるには、バネ16の付勢力に抗して幕板3cを床板８と共に格納庫Ｈからその外側の後方へ引き出し、大引４、５を傾倒させる。
【００２９】
この時、床板８、8aの倒伏によってバネ16はその巻き取り（付勢）力に抗しながら徐々に繰り出されるため、床板８、8aが急激に倒伏して舞台設置面ｆに衝撃を生じさせることがなく、安全に舞台へと変形させられ、中間束柱６と共に降下するアイドルローラ17がやがてバネ16の上面に接触し、続いてなお降下するためバネ16をその付勢力に抗して下方へ押圧することとなり、中間束柱６が床面ｆに着地すると、床板８、8aが水平状態となって舞台１が構成される。
【００３０】
よって、床板８、8aを手動で倒伏回動してもバネ16の弾性によって急速に床板が倒伏することがなく安全に舞台に変形させられる。
【００３１】
そして、バネ16は水平状態の床板８、8aを起立方向に舞台の使用に支障のない程度に付勢する様に設定されており、手動による床板８、8aの起立のための初動操作を容易に行える様に成している。
【００３２】
したがって、舞台１の収納変形に際しては、床板８の後端部を少し持ち上げると、繰り出し状態にあるバネ16が強く引き戻されてアイドルローラ16を押し上げることから中間束柱６が浮上して重い床板８、8aを起立方向に持ち上げようとする力を助勢し、軽い力で舞台１を円滑に起立変形させることができ、次いでバネ16が後方束柱３を前方に引くことから、床板８、8aが直立し、その直立状態を保持でき、舞台１は上記の様に格納庫Ｈ内に収容される。
【符号の説明】
【００３３】
１  （壁面収納）舞台
２  前方束柱
３  後方束柱
3b  車輪
４  前方大引
５  後方大引
６  中間束柱
７  連結部
８  床板
8a  床板
15  ドラム
16  （定荷重渦巻き）バネ
17  アイドルローラ
ｆ  床面
Ｈ  格納庫
Ｗ  壁
【図１】
2018110679.tif 000003
【図２】
2018110679.tif 000004
【図３】
2018110679.tif 000005
【図４】
2018110679.tif 000006
【図５】
2018110679.tif 000007
【図６】
2018110679.tif 000008
【図７】
2018110679.tif 000009
【図８】
2018110679.tif 000010
【図９】
2018110679.tif 000011
【図１０】
2018110679.tif 000012
【図１１】
2018110679.tif 000013
【図１２】
2018110679.tif 000014
【図１３】
2018110679.tif 000015
【図１４】
2018110679.tif 000016